(57)【要約】【課題】送信装置、受信装置、スクリーン画面伝送システムと方法を提供する。【解決手段】スクリーン画面伝送システムは、送信装置および受信装置を含む。受信装置は、ディスプレイユニット又は外部ディスプレイ装置を有し、接続情報を含む２Ｄバーコードを表示する。送信装置は、イメージ捕捉ユニットを含んで、２Ｄバーコードのイメージを捕捉する。送信装置は、２Ｄバーコードをデコードして、接続情報を取得すると共に、受信装置と通信接続を構築して、スクリーン画面を伝送し、これにより、使用者の操作工程を簡潔にする。【選択図】図１
2012170051.tif 000002
【特許請求の範囲】
【請求項１】
受信装置と送信装置を含むスクリーン画面伝送システムであって、
前記受信装置は、
接続情報を含む２Ｄバーコードを表示するディスプレイユニット又は外部ディスプレイ装置と電気的に接続するビデオポートと、
スクリーン画面を受信する第一通信インターフェースと、
前記第一通信インターフェースと前記ディスプレイユニット又は前記ビデオポートと電気的に接続し、前記２Ｄバーコードを生成し、前記スクリーン画面をデコードして、前記ディスプレイユニット又は前記ディスプレイ装置により出力する第一処理ユニットと、を含み、
前記送信装置は、
前記ディスプレイユニット又は前記ディスプレイ装置により出力される前記２Ｄバーコードを捕捉するのに用いられるイメージ捕捉ユニットと、
前記スクリーン画面を伝送する第二通信インターフェースと、
前記イメージ捕捉ユニットと前記第二通信インターフェースと電気的に接続し、前記２Ｄバーコードをデコードして、前記接続情報を取得すると共に、前記接続情報により、前記受信装置と通信接続を構築して、前記スクリーン画面を伝送する第二処理ユニットと、を含むことを特徴とするシステム。
【請求項２】
前記２Ｄバーコードは、クイックレスポンスコード（Ｑｕｉｃｋ  Ｒｅｓｐｏｎｓｅ  ｃｏｄｅ，ＱＲ  ｃｏｄｅ）を含むことを特徴とする請求項１に記載のスクリーン画面伝送システム。
【請求項３】
前記第一通信インターフェースおよび前記第二通信インターフェースは、ワイヤレスＬＡＮインターフェースを含むことを特徴とする請求項１又は２に記載のスクリーン画面伝送システム。
【請求項４】
前記接続情報は、ＩＰアドレスを含むことを特徴とする請求項３に記載のスクリーン画面伝送システム。
【請求項５】
前記接続情報は、更に、サービスセットＩＤ（ｓｅｒｖｉｃｅ  ｓｅｔ  ｉｄｅｎｔｉｆｉｅｒ，ＳＳＩＤ）、接続パスワードおよび識別コードの少なくとも１つを含むことを特徴とする請求項４に記載のスクリーン画面伝送システム。
【請求項６】
送信装置であって、受信装置とスクリーン画面伝送システムを構成し、前記受信装置は、接続情報を含む２Ｄバーコードおよび前記送信装置により伝送されるスクリーン画面を表示し、前記送信装置は、
前記２Ｄバーコードを捕捉するイメージ捕捉ユニットと、
前記スクリーン画面を前記受信装置に伝送する通信インターフェースと、
前記イメージ捕捉ユニットと前記通信インターフェースと電気的に接続し、前記２Ｄバーコードをデコードして、前記接続情報を取得すると共に、前記接続情報により、前記受信装置と通信接続を構築して、前記スクリーン画面を伝送する処理ユニットと、
を含むことを特徴とする送信装置。
【請求項７】
前記２Ｄバーコードは、クイックレスポンスコード（Ｑｕｉｃｋ  Ｒｅｓｐｏｎｓｅ  ｃｏｄｅ，ＱＲ  ｃｏｄｅ）を含むことを特徴とする請求項６に記載の送信装置。
【請求項８】
前記第二通信インターフェースは、ワイヤレスＬＡＮインターフェースを含むことを特徴とする請求項６又は７に記載の送信装置。
【請求項９】
前記接続情報は、ＩＰアドレスを含むことを特徴とする請求項８に記載の送信装置。
【請求項１０】
前記接続情報は、更に、サービスセットＩＤ（ｓｅｒｖｉｃｅ  ｓｅｔ  ｉｄｅｎｔｉｆｉｅｒ，ＳＳＩＤ）、接続パスワードおよび識別コードの少なくとも１つを含むことを特徴とする請求項９に記載の送信装置。
【請求項１１】
受信装置であって、送信装置と、スクリーン画面伝送システムを構成し、前記送信装置は、２Ｄバーコードを捕捉してから、デコードし、接続情報を取得し、前記接続情報により、前記受信装置と通信接続を構築して、スクリーン画面を伝送し、前記受信装置は、
前記接続情報を含む前記２Ｄバーコードを表示するのに用いられるディスプレイユニット又は外部ディスプレイ装置と電気的に接続するビデオポートと、
前記スクリーン画面を受信するのに用いられる通信インターフェースと、
前記通信インターフェースと前記ディスプレイユニット又は前記ビデオポートと電気的に接続され、前記２Ｄバーコードを生成し、前記スクリーン画面をデコードして、前記ディスプレイユニット又は前記ディスプレイ装置により出力する処理ユニットと、
を含むことを特徴とする受信装置。
【請求項１２】
前記２Ｄバーコードは、クイックレスポンスコード（Ｑｕｉｃｋ  Ｒｅｓｐｏｎｓｅ  ｃｏｄｅ，ＱＲ  ｃｏｄｅ）  を含むことを特徴とする請求項１１に記載の受信装置。
【請求項１３】
前記通信インターフェースは、ワイヤレスＬＡＮインターフェースを含むことを特徴とする請求項１１又は１２に記載の受信装置。
【請求項１４】
前記接続情報は、ＩＰアドレスを含むことを特徴とする請求項１３に記載の受信装置。
【請求項１５】
前記接続情報は、更に、サービスセットＩＤ（ｓｅｒｖｉｃｅ  ｓｅｔ  ｉｄｅｎｔｉｆｉｅｒ，ＳＳＩＤ）、接続パスワードおよび識別コードの少なくとも１つを含むことを特徴とする請求項１４に記載の受信装置。
【請求項１６】
コンピュータプログラムを記録するコンピュータ可読媒体であって、前記コンピュータプログラムは送信装置によりロードされ、スクリーン画面を受信装置に伝送する方法を実行し、前記の方法は
イメージ捕捉ユニットにより、前記受信装置により表示される接続情報を含む２Ｄバーコードを捕捉する工程と、
前記２Ｄバーコードをデコードし、前記接続情報を取得する工程と、
前記接続情報により、前記受信装置と通信接続を構築する工程と、
前記スクリーン画面を捕捉、並びに伝送する工程と、
を含むことを特徴とするコンピュータ可読媒体。
【請求項１７】
更に、捕捉された前記２Ｄバーコードのイメージがデコードされるか判断し、されない場合、前記２Ｄバーコードを再捕捉する工程を含むことを特徴とする請求項１６に記載のコンピュータ可読媒体。
【請求項１８】
前記２Ｄバーコードは、クイックレスポンスコード（Ｑｕｉｃｋ  Ｒｅｓｐｏｎｓｅ  ｃｏｄｅ，ＱＲ  ｃｏｄｅ）を含むことを特徴とする請求項１６又は１７に記載のコンピュータ可読媒体。
【請求項１９】
前記送信装置は、ワイヤレスＬＡＮインターフェースにより、前記受信装置と、前記通信接続を構築することを特徴とする請求項１６から１８いずれかの一項に記載のコンピュータ可読媒体。
【請求項２０】
前記接続情報は、ＩＰアドレスを含むことを特徴とする請求項１９に記載のコンピュータ可読媒体。
【請求項２１】
前記接続情報は、更に、サービスセットＩＤ（ｓｅｒｖｉｃｅ  ｓｅｔ  ｉｄｅｎｔｉｆｉｅｒ，ＳＳＩＤ）、接続パスワードおよび識別コードの少なくとも１つを含むことを特徴とする請求項２０に記載のコンピュータ可読媒体。
【請求項２２】
コンピュータプログラムを記録するコンピュータ可読媒体であって、前記コンピュータプログラムは、受信装置によりロードされ、送信装置から伝送されるスクリーン画面を受信する方法を実行し、前記の方法は
接続情報を決定する工程と、
前記接続情報を２Ｄバーコードに変換する工程と、
ディスプレイユニット又は外部ディスプレイ装置により、前記２Ｄバーコードを出力して、前記送信装置が前記２Ｄバーコードを捕捉する工程と、
前記送信装置から伝送される前記スクリーン画面を待ち、出力する工程と、
を含むことを特徴とするコンピュータ可読媒体。
【請求項２３】
前記２Ｄバーコードは、クイックレスポンスコード（Ｑｕｉｃｋ  Ｒｅｓｐｏｎｓｅ  ｃｏｄｅ，ＱＲ  ｃｏｄｅ）  を含むことを特徴とする請求項２２に記載のコンピュータ可読媒体。
【請求項２４】
前記送信装置は、ワイヤレスＬＡＮインターフェースにより、前記受信装置と通信接続を構築することを特徴とする請求項２２又は２３に記載のコンピュータ可読媒体。
【請求項２５】
前記接続情報はＩＰアドレスを含むことを特徴とする請求項２４に記載のコンピュータ可読媒体。
【請求項２６】
前記接続情報は、更に、サービスセットＩＤ（ｓｅｒｖｉｃｅ  ｓｅｔ  ｉｄｅｎｔｉｆｉｅｒ，ＳＳＩＤ）、接続パスワードおよび識別コードの少なくとも１つを含むことを特徴とする請求項２５に記載のコンピュータ可読媒体。
【発明の詳細な説明】
【技術分野】
【０００１】
本発明は、送信装置、受信装置、スクリーン画面伝送システムおよび方法に関するものであって、特に、使用者が簡単に通信接続を構築することができる送信装置、受信装置、スクリーン画面伝送システムおよび方法に関するものである。
【背景技術】
【０００２】
スクリーン画面のシェアは、情報技術の重要な応用の１つである。例えば、リモートデスクトップ（ｒｅｍｏｔｅ  ｄｅｓｋｔｏｐ）により遠隔制御するか、又は、コンピュータをプロジェクタに無線接続して、プレゼンテーション等を実行する。また、写真およびビデオ捕捉能力を有する携帯機器の普及と、ディスプレイユニットの尺寸制限に伴い、使用者が、撮影したイメージをシェアする要求が急速に増加する。
【０００３】
しかし、スクリーン画面の送信前、使用者は、まず、正確に接続情報を設定しなければ、送信端と受信端は通信接続を構築することができない。例えば、使用者は、受信装置の正確ＩＰアドレスを知り、それを、送信装置に入力しなければ、送信装置は、受信装置と通信接続を構築することができない。これは、コンピュータ操作を熟知しない使用者にとって、非常に困難なことである。
【０００４】
よって、どのようにすれば、使用者の簡単な操作により、送信端と受信端間に通信接続を構築し、スクリーン画面を伝送することができるかが重要な課題である。
【発明の概要】
【発明が解決しようとする課題】
【０００５】
本発明は、送信装置、受信装置、スクリーン画面伝送システムおよび方法を提供し、上述の問題を解決することを目的とする。
【課題を解決するための手段】
【０００６】
本発明は、送信装置、受信装置、スクリーン画面伝送システムおよび方法を提供し、受信端は、接続情報を２Ｄバーコードに変換し、送信端は、２Ｄバーコードのイメージを捕捉することにより、必要な接続情報を得て、通信接続を構築すると共に、スクリーン画面を伝送し、よって、使用者の操作工程を簡潔にする。
【０００７】
実施例によると、スクリーン画面伝送システムは、送信装置および受信装置を含む。受信装置は、ディスプレイユニット又はビデオポート、第一通信インターフェースおよび第一処理ユニットを含む。ビデオポートは、外部ディスプレイ装置と電気的に接続するのに用いられる。ディスプレイユニット又はディスプレイ装置は、接続情報を含む２Ｄバーコードを表示するのに用いられる。第一通信インターフェースは、スクリーン画面の受信に用いられる。第一処理ユニットは、第一通信インターフェースおよびディスプレイユニット又はビデオポートと電気的に接続して、２Ｄバーコードを生成し、スクリーン画面をデコードして、ディスプレイユニット又はディスプレイ装置により出力される。送信装置は、イメージ捕捉ユニット、第二通信インターフェースおよび第二処理ユニットを含む。イメージ捕捉ユニットは、ディスプレイユニット又はディスプレイ装置により出力される２Ｄバーコードの捕捉に用いられる。第二通信インターフェースは、スクリーン画面の伝送に用いられる。第二処理ユニットは、イメージ捕捉ユニットおよび第二通信インターフェースと電気的に接続し、２Ｄバーコードをデコードして、接続情報を取得すると共に、接続情報により、受信装置と通信接続を構築して、スクリーン画面を伝送する。
【０００８】
実施例によると、送信装置は、受信装置と、スクリーン画面伝送システムを構成する。送信装置は、イメージ捕捉ユニット、通信インターフェースおよび処理ユニットを含む。イメージ捕捉ユニットは、受信装置により表示される２Ｄバーコードを捕捉するのに用いられる。２Ｄバーコードは接続情報を含む。通信インターフェースは、スクリーン画面を受信装置に伝送するのに用いられる。処理ユニットは、イメージ捕捉ユニットおよび通信インターフェースと電気的に接続され、２Ｄバーコードをデコードして、接続情報を取得すると共に、接続情報により、受信装置と通信接続を構築して、スクリーン画面を伝送する。
【０００９】
実施例によると、受信装置は、送信装置と、スクリーン画面伝送システムを構築する。受信装置は、ディスプレイユニット又はビデオポート、通信インターフェースおよび処理ユニットを含む。ビデオポートは、外部ディスプレイ装置との電気的接続に用いられる。ディスプレイユニット又はディスプレイ装置は、２Ｄバーコードの表示に用いられる。２Ｄバーコードは接続情報を含む。通信インターフェースは、送信装置により伝送されるスクリーン画面の受信に用いられる。処理ユニットは、通信インターフェースおよびディスプレイユニット又はビデオポートと電気的に接続し、２Ｄバーコードを生成し、スクリーン画面をデコードして、ディスプレイユニット又はディスプレイ装置により出力される。
【００１０】
実施例によると、コンピュータ可読媒体は、送信装置によりロードされ、スクリーン画面を受信装置に伝送する方法を実行するコンピュータプログラムを記録する。方法は、イメージ捕捉ユニットにより、受信装置により表示される接続情報を含む２Ｄバーコードを捕捉する工程と、２Ｄバーコードをデコードして、接続情報を取得する工程と、接続情報により、受信装置と通信接続を構築する工程と、スクリーン画面を捕捉ならびに伝送する工程を含む。
【００１１】
実施例によると、コンピュータ可読媒体は、受信装置によりロードされ、送信装置により伝送されるスクリーン画面を受信する方法を実行するコンピュータプログラムを記録する。方法は、接続情報を決定する工程と、接続情報を２Ｄバーコードに変換する工程と、ディスプレイユニット又は外部ディスプレイ装置により、２Ｄバーコードを表示し、送信装置により２Ｄバーコードを捕捉する工程と、送信装置により伝送されるスクリーン画面を待ち、出力する工程を含む。
【００１２】
本発明の他の目的、技術内容および特徴については、以下の詳細な説明および添付の図面を参照することによって、より深く理解することができるであろう。
【発明の効果】
【００１３】
使用者の簡単な操作により、送信端と受信端間に通信接続を構築し、スクリーン画面を伝送することができる。
【図面の簡単な説明】
【００１４】
【図１】本発明の実施例によるスクリーン画面伝送システムを示す図である。
【図２】本発明の実施例によるスクリーン画面伝送方法のフローチャートである。
【図３】本発明の実施例による受信装置が、送信装置により伝送されるスクリーン画面を受信する方法を実行するフローチャートである。
【図４】本発明の実施例による送信装置が、スクリーン画面を受信装置に伝送する方法を実行するフローチャートである。
【発明を実施するための形態】
【００１５】
図１を参照すると、本発明の実施例のスクリーン画面伝送システム１０は、受信装置１１ａおよび送信装置１２を含む。受信装置１１ａは、ディスプレイユニット１１１ａ、第一通信インターフェース１１２および第一処理ユニット１１３を含む。第一処理ユニット１１３は、ディスプレイユニット１１１ａと電気的に接続すると共に、送信装置１２に必要な接続情報を、２ＤバーコードＣに変換して、ディスプレイユニット１１１ａが出力する。例えば、２ＤバーコードＣは、クイックレスポンスコード（Ｑｕｉｃｋ  Ｒｅｓｐｏｎｓｅ  ｃｏｄｅ，ＱＲ  ｃｏｄｅ）である。この他、第一処理ユニット１１３は、第一通信インターフェース１１２とも電気的に接続し、第一通信インターフェース１１２により、送信装置１２から伝送されるスクリーン画面を受信し、ディスプレイユニット１１１ａが出力する。
【００１６】
送信装置１２は、イメージ捕捉ユニット１２１、第二通信インターフェース１２２および第二処理ユニット１２３を含み、第二処理ユニット１２３は、イメージ捕捉ユニット１２１と第二通信インターフェース１２２に電気的に接続する。第二処理ユニット１２３は、イメージ捕捉ユニット１２１を制御して、受信装置１１ａのディスプレイユニット１１１ａが出力する２ＤバーコードＣを捕捉してからに、デコードして、受信装置１１ａと通信接続を構築するのに必要な接続情報を取得する。第二処理ユニット１２３は、２ＤバーコードＣよりデコードされた接続情報に基づいて、受信装置１１ａと通信接続を構築すると共に、スクリーン画面を伝送する。スクリーン画面の捕捉および伝送方法は、当該技術分野における通常の技術を有する人により、従来の技術で実現できるので、ここで詳述しない。
【００１７】
実施例中では、第一通信インターフェース１１２および第二通信インターフェース１２２は、ワイヤレスＬＡＮ、例えば、ＩＥＥＥ  ８０２．１１通信標準である。送信装置１２は、ＩＰアドレス（Ｉｎｔｅｒｎｅｔ  Ｐｒｏｔｏｃｏｌ  ａｄｄｒｅｓｓ）を利用して、受信装置１１ａと通信接続を構築する。例えば、受信装置１１ａは、ネットワークインターフェースを有するディスプレイ装置、例えば、ディスプレイ、テレビ、プロジェクタ、タブレット等である。送信装置１２は、イメージ捕捉ユニットおよびネットワークインターフェースを有する携帯用電子機器、例えば、携帯電話、ＰＤＡ、タブレット、ノートパソコン、デスクトップコンピュータ等である。
【００１８】
別の実施例中では、受信装置は、第一通信インターフェース１１２、第一処理ユニット１１３およびビデオポート１１４だけを含み、図１で示される受信装置１１ｂのようなディスプレイユニット１１１ａを含まない。受信装置１１ｂは、ビデオポート１１４により、外部ディスプレイ装置１１１ｂと電気的に接続される。よって、受信装置１１ｂは、外部ディスプレイ装置１１１ｂを利用して、接続情報を含む２ＤバーコードＣを出力する。上述の構造により、ネットワークインターフェースがないディスプレイ装置１１１ｂも、スクリーン画面をシェアする受信端となる。例えば、ビデオポート１１４は、ビデオグラフィックスアレイ（Ｖｉｄｅｏ  Ｇｒａｐｈｉｃｓ  Ａｒｒａｙ，ＶＧＡ）端子、デジタルビジュアルインターフェース（Ｄｉｇｉｔａｌ  Ｖｉｓｕａｌ  Ｉｎｔｅｒｆａｃｅ，ＤＶＩ）、高解像度マルチメディアインターフェース（Ｈｉｇｈ  Ｄｅｆｉｎｉｔｉｏｎ  Ｍｕｌｔｉｍｅｄｉａ  Ｉｎｔｅｒｆａｃｅ，ＨＤＭＩ）、コンポーネントビデオコネクタ（Ｃｏｍｐｏｎｅｎｔ  Ｖｉｄｅｏ  Ｃｏｎｎｅｃｔｏｒ）、Ｓ−端子（Ｓ−Ｖｉｄｅｏ）又はＡＶ端子（複合端子，Ｃｏｍｐｏｓｉｔｅ  ｖｉｄｅｏ  ｃｏｎｎｅｃｔｏｒ）等である。
【００１９】
図２を参照し、本発明のスクリーン画面伝送システム１０の操作手順を説明する。まず、受信端（例えば、受信装置１１ａ、１１ｂ）は、ディスプレイユニット１１１ａ又は外部ディスプレイ装置１１１ｂを利用して、２ＤバーコードＣを出力する（Ｓ２１）。続いて、送信端（例えば、送信装置１２）は、イメージ捕捉ユニット１２１を利用して、２ＤバーコードＣのイメージを捕捉してから、２ＤバーコードＣをデコードして、必要な接続情報を取得する（Ｓ２２）。送信端は、２ＤバーコードＣからデコードされた接続情報に基づいて、受信端と通信接続を構築する（Ｓ２３）。その後、送信端は、スクリーン画面を捕捉すると共に、受信端に伝送する（Ｓ２４）。受信端は、送信端により伝送されるスクリーン画面を受信、出力する（Ｓ２５）。
【００２０】
図３を参照し、受信端の操作手順を説明する。まず、受信装置は、接続情報を決定する（Ｓ３１）。例えば、受信装置は、予め設定するか又は動的ホスト構成プロトコル（Ｄｙｎａｍｉｃ  Ｈｏｓｔ  Ｃｏｎｆｉｇｕｒａｔｉｏｎ  Ｐｒｏｔｏｃｏｌ，ＤＨＣＰ）によりＩＰアドレスを得る。実施例中では、受信装置は、ワイヤレスＬＡＮのアクセスポイント（ａｃｃｅｓｓ  ｐｏｉｎｔ，ＡＰ）で、よって、接続情報は、アクセスポイントのサービスセットＩＤ（ｓｅｒｖｉｃｅ  ｓｅｔ  ｉｄｅｎｔｉｆｉｅｒ，ＳＳＩＤ）も含む。安全保護のため、接続情報は、更に、アクセスポイントの接続パスワードも含む。この他、受信装置は、識別コードをランダムに生成する。伝送装置は、受信端のディスプレイユニット１１１ａ又はディスプレイ装置１１１ｂを利用して、伝送されるスクリーンフレームを出力する前に、受信装置により生成される識別コードを正しく入力する必要がある。
【００２１】
続いて、受信装置は、使用者のネットワーク設定に基づいて、必要な接続情報を２ＤバーコードＣ、例えば、ＱＲコードに変換し  （Ｓ３２）、ディスプレイユニット１１１ａ又はディスプレイ装置１１１ｂにより出力する（Ｓ３３）。その後、受信装置は、送信装置により伝送されるスクリーン画面を待ち（Ｓ３４）、スクリーン画面が受信されたか判断する（Ｓ３５）。受信された場合、受信装置は、ディスプレイユニット１１１ａ又はディスプレイ装置１１１ｂにより、スクリーン画面を出力する（Ｓ３６）。そうでない場合、工程Ｓ３４に戻り、送信装置により伝送されるスクリーン画面を待つ。
【００２２】
図４は、送信端の操作手順を説明する。まず、送信装置１２は、イメージ捕捉ユニット１２１を利用して、受信端により表示される２ＤバーコードＣのイメージを捕捉する（Ｓ４１）。続いて、捕捉されるイメージに基づいて、２ＤバーコードＣをデコードし、受信端と通信接続を構築するのに必要とされる接続情報、例えば、ＩＰアドレス、ＳＳＩＤ、接続パスワード又は識別コード等を得る（Ｓ４３）。好ましくは、２Ｄバーコードをデコードする前、捕捉されたイメージがはっきりしているか、完全で、デコードできるか判断する  （Ｓ４２）。完全である場合、２Ｄバーコードをデコードする（Ｓ４３）。完全でない場合、工程Ｓ４１に戻り、２ＤバーコードＣのイメージ再度捕捉する。
【００２３】
送信装置１２が接続情報を取得した後、接続情報に基づいて、受信端と通信接続を構築する（Ｓ４４）。例えば、送信装置１２は、ＩＰアドレスを用いて、受信端と通信接続を構築する。又は、送信装置１２は、先ず、ＳＳＩＤおよび接続パスワードを用いて、アクセスポイントと通信接続を構築し、その後、ＩＰアドレスを用いて、受信装置と通信接続を構築する。受信端に識別コードが設定されている場合、送信装置１２は、２ＤバーコードＣ中の識別コードを再入力して（Ｓ４５）、ディスプレイユニット１１１ａ又はディスプレイ装置１１１ｂにアクセスする許可を取得する必要がある。その後、送信装置１２は、スクリーン画面を捕捉すると共に、受信端に伝送される（Ｓ４６）。最後に、使用者が、スクリーン画面の伝送操作を終了するか判断し（Ｓ４７）、そう判断する場合、終了する。そうでない場合、工程Ｓ４６に戻り、スクリーン画面の捕捉、受信端への伝送を継続する。
【００２４】
実施例中では、コンピュータ可読媒体は、送信装置によりロードされ、スクリーン画面を受信装置に伝送する方法を実行するコンピュータプログラムを記録する。送信装置のスクリーン画面伝送方法は、図４で説明されており、ここで詳述しない。別の実施例では、コンピュータ可読媒体は、受信装置によりロードされ、送信装置により伝送されるスクリーン画面を受信する方法を実行するコンピュータプログラムを記録する。スクリーン画面受信方法は図３で示されているので、ここで詳述しない。
【００２５】
総合すると、本発明の送信装置、受信装置、スクリーン画面伝送システムおよび方法は、受信端の接続情報を２Ｄバーコードに変換し、ディスプレイユニット又は外部ディスプレイ装置により出力して、送信端が、２Ｄバーコードのイメージを捕捉することにより、必要な接続情報を得て、通信接続を構築すると共に、スクリーン画面に伝送する。よって、本発明により、使用者は、簡単な操作工程で、送信端と受信端の通信接続を構築すると共に、スクリーン画面をシェアすることができる。
【００２６】
上記の実施例はただ本発明の技術アイディアおよび特徴を説明する。これらは決して本発明に限定するものではなく、当該技術を熟知する者なら誰でも、本発明の精神と領域を脱しない範囲内で各種の変動や潤色を加えることができ、従って本発明の保護範囲は、特許請求の範囲で指定した内容を基準とする。
【符号の説明】
【００２７】
１０            スクリーン画面伝送システム
１１ａ、１１ｂ      受信装置
１１１ａ        ディスプレイユニット
１１１ｂ        ディスプレイ装置
１１２          第一通信インターフェース
１１３          第一処理ユニット
１１４          ビデオポート
１２            送信装置
１２１          イメージ捕捉ユニット
１２２          第二通信インターフェース
１２３          第二処理ユニット
Ｃ            ２Ｄバーコード
Ｓ２１〜Ｓ２５、Ｓ３１〜Ｓ３６、Ｓ４１〜Ｓ４７    工程
【図１】
2012170051.tif 000003
【図２】
2012170051.tif 000004
【図３】
2012170051.tif 000005
【図４】
2012170051.tif 000006